(57)【要約】【課題】入力される様々な画像の仕様に応じて、出力される画像が適切に補正された画像を表示する。【解決手段】スケーリング処理部１４は、入力された画像信号によって表示される画像が画像形成パネル１２中で形成する領域（サブイメージ）の領域サイズを認識する。スケーリング処理後のサブイメージにパターン画像生成部２０によって生成されたパターン画像を重畳させた画像信号をパネル画像生成部１５に生成させる。利用者は、投射画像におけるサブイメージが所望の位置、大きさ、形状となるようにパターン画像を変形して投影範囲を再設定することができる。サブイメージ領域補正部２１は、パネル画像におけるこの投影範囲に対応する領域に対してサブイメージを投影する２次元射影変換処理を行い、この変換後の画像を出力する画像信号をパネル画像生成部１５に生成させる。【選択図】図１
2010130385.tif 000002
【特許請求の範囲】
【請求項１】
画像信号が入力され、画像形成パネルにおいて前記画像信号に基づく画像をサブイメージとして含むパネル画像を形成し、該パネル画像を出力して画像を表示する画像表示方法であって、
前記サブイメージが前記パネル画像で表示されるように前記画像信号をスケーリング処理し、かつ前記サブイメージの前記パネル画像における領域サイズを認識するスケーリング処理工程と、
前記領域サイズに対応したパターン画像が表示されたパネル画像を形成し、該パネル画像を出力して画像を表示する初期画像表示工程と、
該初期画像表示工程において表示された画像における前記パターン画像の表示位置を利用者に移動させることによって投影範囲を設定させる投影範囲設定工程と、
前記パネル画像における前記投影範囲に対応する領域に対し、前記サブイメージを２次元射影変換した画像を出力する画像信号を形成するサブイメージ補正工程と、
前記２次元射影変換した画像を出力する画像信号を画像形成パネルに入力させて形成したパネル画像を出力して画像を表示する補正画像表示工程と、
を具備することを特徴とする画像表示方法。
【請求項２】
画像信号が入力され、画像形成パネルにおいて前記画像信号に基づく画像をサブイメージとして含むパネル画像を形成し、該パネル画像を出力して画像を表示する画像表示装置であって、
前記サブイメージが前記パネル画像で表示されるように前記画像信号をスケーリング処理し、かつ前記サブイメージの前記パネル画像における領域サイズを認識するスケーリング処理部と、
初めに前記領域サイズに対応して表示された後に利用者の操作によってその表示位置が変えられるパターン画像を、前記パネル画像中に表示させるパターン画像生成部と、
前記パネル画像が出力されて表示された画像において利用者によって位置が再設定された前記パターン画像に対応する領域を投影範囲として認識し、前記パネル画像における前記投影範囲に対応する領域中に、前記サブイメージを２次元射影変換した画像を出力する画像信号を前記画像形成パネルに出力させるサブイメージ領域補正部と、
を具備することを特徴とする画像表示装置。
【請求項３】
前記画像表示装置はプロジェクタであることを特徴とする請求項２に記載の画像表示装置。
【発明の詳細な説明】
【技術分野】
【０００１】
本発明は、画像を適正に補正して表示する画像表示方法、及びこの画像表示方法を実行する機能を備えた画像表示装置に関する。
【背景技術】
【０００２】
光信号をスクリーン上に投影して画像を形成するプロジェクタが近年多く用いられている。液晶ディスプレイのような、ディスプレイ機器上に画像を表示する他の画像形成装置とは異なり、プロジェクタによって形成される画像は、プロジェクタとスクリーンとの位置関係等、外部要因の影響を大きく受ける。例えば、最適な画像を得るためのプロジェクタとスクリーンとの位置関係は決まっているため、これらを調整することが必要になる。一般には、スクリーンは建物の壁等に固定される場合が多いため、プロジェクタの設置位置や角度を調整することにより、この最適化が行われる。
【０００３】
しかしながら、プロジェクタの位置や角度を変更することは、その設置場所によって困難であることがある。このため、これらを変更せずに、映像信号自身を補正することによってこの最適化を行う技術も用いられている。この補正は、例えば台形に歪んだ画像を補正するキーストン（台形）補正として知られている。この作業は通常一般ユーザーが行うため、これを容易に行うための技術が開発されている。
【０００４】
キーストン処理を行う機能を備えたプロジェクタの構成の一例は、例えば特許文献１に記載されている。この構成を図８に示す。このプロジェクタ８０においては、出力すべき画像信号は例えばパーソナルコンピュータ等の外部機器から入力部８１に入力され、この画像信号によって画像形成パネル（例えば液晶パネル）８２が画素毎に照明光を変調して、画像形成パネル８２上でパネル画像が作成される。このパネル画像は投射レンズ８３から出力され、外部のスクリーン１００に投影されて画像となる。この際、入力された画像信号は、スケーリング処理部８４において、出力される画像における表示可能領域に応じた大きさ、あるいは出力される画像の解像度に応じてスケーリングされた上で、パネル画像生成部８５によって画像形成パネル８２で出力できる形態の画像信号に変換される。この大きさや解像度は主に画像形成パネル８２の仕様に応じて決まる。制御処理部８６はＲＯＭ８７に記憶されたプログラムによって、上記の動作を制御する。また、これらの動作は、リモコン送信機９９からの信号をリモコン受信部８８が受信することにより、あるいは、操作部８９を利用者が直接操作することにより、適宜なされる。
【０００５】
ここで、上記のキーストン補正を行うために、このプロジェクタ８０は、パターン画像生成部９０、キーストン処理部９１を具備する。パターン画像生成部９０は、表示可能領域を示す画像、例えば矩形パターンを画像に重畳させて表示させる。この矩形に対応する画像がスクリーン１００上で矩形からずれている場合には、キーストン補正が必要であり、利用者がこの頂点の位置を適正になるべくリモコン送信機９９等を用いてカーソル操作等を行う。この操作に応じてキーストン処理部９１が画像形成パネル８２に入力される画像信号を変換してパネル画像を変換し、この補正作業を容易に行うことができる。
【０００６】
また、特許文献２には、表示可能領域内の画像に４つの矩形の頂点を構成する４つの目印を重畳させ、この目印が実際に画像において表示された位置を自動的に認識し、自動的にキーストン補正を行う技術が記載されている。この技術によって、利用者はこのキーストン補正を容易に行うことができ、適正な画像をスクリーン上に表示させることができた。
【０００７】
こうした技術を用いて、プロジェクタにおいて、適正な画像をスクリーン上に形成することができた。
【０００８】
【特許文献１】特開２００７−２１５０２９号公報
【特許文献２】特開２００５−１３６６９９号公報
【発明の開示】
【発明が解決しようとする課題】
【０００９】
しかしながら、プロジェクタで表示される画像には様々な仕様のものがあり、例えば、様々なアスペクト比や解像度の画像を表示させる場合がある。この際、例えば画像形成パネルのアスペクト比と出力すべき画像のアスペクト比とが異なった場合には、画像形成パネル上の画像（パネル画像）においては、出力すべき画像が表示される領域（表示可能領域）と、その周囲に形成されたブランク領域（オフセット領域）とが形成される。従って、スクリーン上に形成される画像においても、これに対応して、表示可能領域とオフセット領域とが形成される。オフセット領域は利用者にとっては無駄な領域であるため、これを極力なくした画像が適正な画像となる。プロジェクタで連続して画像を出力している途中で画像のアスペクト比が変わる場合もある。従って、キーストン補正だけでなく、こうした場合にも適正な画像を形成することが必要である。
【００１０】
すなわち、従来の技術においては、入力される様々な画像の仕様に応じて、出力される画像の補正を適切に行うことは困難であった。
【００１１】
本発明は、斯かる問題点に鑑みてなされたものであり、上記問題点を解決する発明を提供することを目的とする。
【課題を解決するための手段】
【００１２】
本発明は、上記課題を解決すべく、以下に掲げる構成とした。
本発明の画像表示方法は、画像信号が入力され、画像形成パネルにおいて前記画像信号に基づく画像をサブイメージとして含むパネル画像を形成し、該パネル画像を出力して画像を表示する画像表示方法であって、前記サブイメージが前記パネル画像で表示されるように前記画像信号をスケーリング処理し、かつ前記サブイメージの前記パネル画像における領域サイズを認識するスケーリング処理工程と、前記領域サイズに対応したパターン画像が表示されたパネル画像を形成し、該パネル画像を出力して画像を表示する初期画像表示工程と、該初期画像表示工程において表示された画像における前記パターン画像の表示位置を利用者に移動させることによって投影範囲を設定させる投影範囲設定工程と、前記パネル画像における前記投影範囲に対応する領域に対し、前記サブイメージを２次元射影変換した画像を出力する画像信号を形成するサブイメージ補正工程と、前記２次元射影変換した画像を出力する画像信号を画像形成パネルに入力させて形成したパネル画像を出力して画像を表示する補正画像表示工程と、を具備することを特徴とする。
本発明の画像表示装置は、画像信号が入力され、画像形成パネルにおいて前記画像信号に基づく画像をサブイメージとして含むパネル画像を形成し、該パネル画像を出力して画像を表示する画像表示装置であって、前記サブイメージが前記パネル画像で表示されるように前記画像信号をスケーリング処理し、かつ前記サブイメージの前記パネル画像における領域サイズを認識するスケーリング処理部と、初めに前記領域サイズに対応して表示された後に利用者の操作によってその表示位置が変えられるパターン画像を、前記パネル画像中に表示させるパターン画像生成部と、前記パネル画像が出力されて表示された画像において利用者によって位置が再設定された前記パターン画像に対応する領域を投影範囲として認識し、前記パネル画像における前記投影範囲に対応する領域中に、前記サブイメージを２次元射影変換した画像を出力する画像信号を前記画像形成パネルに出力させるサブイメージ領域補正部と、を具備することを特徴とする。
本発明の画像表示装置はプロジェクタであることを特徴とする。
【発明の効果】
【００１３】
本発明は以上のように構成されているので、入力される様々な画像の仕様に応じて、出力される画像が適切に補正された画像を表示することができる。
【発明を実施するための最良の形態】
【００１４】
以下、本発明を実施するための最良の形態となる画像表示装置であるプロジェクタについて説明する。このプロジェクタ１０においては、出力すべき画像は例えばパーソナルコンピュータ等の外部機器から入力部１１に画像信号として入力され、この画像信号に基づいて画像形成パネル１２が画素毎に照明光を変調して、画像形成パネル１２上でパネル画像が作成される。このパネル画像は投射レンズ１３を通して出力され、外部のスクリーン１００に投影されて画像となる。なお、画像形成パネル１２としては、例えば液晶パネルやＤＭＤ（Ｄｉｇｉｔａｌ  Ｍｉｃｒｏｍｉｒｒｏｒ  Ｄｅｖｉｃｅ）等が用いられる。
【００１５】
この際、入力された画像信号は、スケーリング処理部１４において、画像形成パネル１２の大きさや解像度に応じてスケーリングされた上で、パネル画像生成部１５によって画像形成パネル１２で出力できる形態の画像信号に変換される。制御処理部１６はＲＯＭ１７に記憶されたプログラムによって、上記の動作を制御する。また、これらの動作は、リモコン送信機２９からの信号をリモコン受信部１８が受信することにより、あるいは、操作部１９を利用者が直接操作することにより、適宜なされる。
【００１６】
ここで、このプロジェクタ１０においては、画像形成パネル１２は所定の数の画素から形成され、所定のアスペクト比をもつ。すなわち、画像形成パネル１２に表示されるパネル画像のアスペクト比や解像度はハードウェア（液晶パネル等）によって予め決まっている。これに対して、入力される画像信号によって表示される画像の解像度やアスペクト比は、場合によって異なり、画像形成パネル１２に適合しているとは限らない。従って、一般には、図２（ａ）に示されるように、パネル画像は、中心にある表示可能領域に出力されたサブイメージ２００と、その周囲に存在する何も表示されない領域であるオフセット領域３００とから構成される。これらのうち、利用者にとって必要なのは表示可能領域に表示されたサブイメージ２００である。なお、出力すべき画像がパネル画像よりも大きな場合には、スケーリング処理部１４によってこれがパネル画像内に収まるようにスケーリング処理される。スケーリング処理部１４は、表示可能領域、あるいはスケーリングされた後のサブイメージ２００のパネル画像上における領域サイズ、すなわち、縦×横の画素数を認識する。
【００１７】
このパネル画像がスクリーン１００上に投影されて投射画像となる。実際の投射画像においては、例えばプロジェクタ１０とスクリーン１００との位置関係に応じて歪みが発生して図２（ｂ）のような矩形形状ではない形態となって表示される、いわゆる歪みが生じる場合が多い。プロジェクタ１０とスクリーン１００との位置関係によって生じる歪みは台形歪みとして知られている。
【００１８】
このプロジェクタ１０においては、投射画像が適正にスクリーン１００上に表示されるように、パターン画像生成部２０とサブイメージ領域補正部２１が機能する。
【００１９】
まず、入力される画像信号において表示される画像のアスペクト比及び解像度が画像形成パネル１２のアスペクト比及び解像度と一致している場合、すなわち、オフセット領域３００が存在しない場合におけるこの動作について図３を元に説明する。この場合の動作は従来より知られるキーストン補正動作と同様である。
【００２０】
図３（ａ）に示す画像が表示されるべき画像であり、これより下側に示された画像において、左側に示した（ｂ）（ｄ）（ｆ）がパネル画像を表し、その右側に示した（ｃ）（ｅ）（ｇ）がそれぞれのパネル画像に対応した投射画像を表す。なお、図３（ａ）に示す画像のアスペクト比及び解像度は画像形成パネル１２のものと一致しているため、画像形成パネル１２上で形成される画像（パネル画像）は図３（ｂ）に示されるように、これと完全に一致する。一方、これに対応する投射画像が図３（ｃ）である。ここで、プロジェクタ１０とスクリーン１００との位置関係が最適でないために、パネル画像が歪んで表示されている。
【００２１】
ここで、利用者が特に見たい対象であるサブイメージは、この場合にはパネル画像全体に等しい。このパネル画像がスクリーン１００上の投射画像中で表示される投影範囲は、利用者によって再設定される。このため、パターン画像生成部２０は、特許文献１と同様に、パネル画像における表示可能領域を示す×印（パターン画像）を画像形成パネル１２に重畳させて図３（ｂ）のように表示させる。×印に囲まれた形状は表示可能領域に対応し、ここでは、この領域はパネル画像全体に対応するため、４つのパターン画像は４つの頂点に表示される。表示可能領域は投射画像においては歪むため、パターン画像である×印で囲まれる領域は図３（ｃ）中のように、矩形から歪む。利用者は、この画面を見ながら、リモコン送信機２９上のカーソル操作により、図３（ｅ）のように、このパターン画像によって囲まれる図形（投影範囲）が所望の大きさ、形状（矩形）となるべく調整する。なお、この矩形は表示されたサブイメージの中に入るように調整される。この場合にパネル画像におけるパターン画像は、図３（ｂ）の状態から図３（ｄ）に示される形となり、パネル画像において投影範囲に対応する範囲は破線で囲まれた領域となる。ここで、サブイメージ領域補正部２１は、図３（ｆ）に示されるように、パネル画像全体が図３（ｄ）における破線で囲まれた領域に収まる２次元射影変換を行う。これによるスクリーン１００上の投影画像は図３（ｇ）のように、所望の大きさであり、かつ歪みのない画像となる。なお、この射影変換を行うプログラムはＲＯＭ１７に記憶されているが、射影変換のパラメータは制御処理部１６が具備するＲＡＭ等に記憶される。
【００２２】
上記の機能は、特許文献１に記載されたものと同様である。ただし、この補正はキーストン補正だけではなく、投射画像の大きさの調整等も同様に行うことができる。
【００２３】
このプロジェクタ１０におけるサブイメージ領域補正部２１は、上記の機能に加えて、特にオフセット領域３００が存在する場合のサブイメージを最適化する機能をもつ。この機能について図４を元に説明する。ここでは、図４（ａ）に示されるように、図３（ａ）と同様の画像が表示すべき画像であり、この画像のアスペクト比及び解像度が画像形成パネル１２のアスペクト比及び解像度と異なる場合につき述べる。
【００２４】
この場合の、画像形成パネル１２上のパネル画像は、図４（ｂ）に示されるように、サブイメージ２００（表示可能領域）の周囲にオフセット領域３００が形成された形態となる。ここで利用者がスクリーン１００上に画像として形成させたいのはこのパネル画像全体ではなく、表示可能領域に表示されたサブイメージ２００だけである。
【００２５】
これに対応する投射画像が図４（ｃ）であり、オフセット領域３００がサブイメージ２００の周辺に形成され、どちらも同様に歪んだ形態となっている。図３（ｃ）の場合と同様にパターン画像を表示させ、このパターン画像が図４（ｄ）に示されるように、利用者の操作によって再設定された後のパターン画像で囲まれた矩形の形状に変更される。この矩形の形状が新たな投影範囲となる。この際、この矩形の形状がオフセット領域３００を含む投射映像中に含まれるようにすれば、変更後のパターン画像もパネル画像中に含まれる。
【００２６】
ここで、図３（ｄ）（ｆ）の場合と同様に、図４（ｄ）（ｆ）において変更されたパターン画像内にパネル画像を２次元射影変換した画像を作成するが、ここでは、パネル画像全体ではなく、表示可能領域内の画像（サブイメージ）を２次元射影変換する。従って、図４（ｇ）のように、利用者の指定したスクリーン１００上の領域にサブイメージ２００だけを表示することができ、オフセット領域３００はこの領域の外側に表示される。
【００２７】
これに対して、従来のように、パネル画像全体をパターン画像内で２次元射影変換した場合には、図５（ａ）（ｂ）（ｃ）（ｄ）に、それぞれ図４（ｄ）（ｅ）（ｆ）（ｇ）に対応した図を示すように、本来表示したいサブイメージが小さくなって表示される。すなわち、このプロジェクタ１０においては、スケーリング処理部１４で認識されたサブイメージの大きさに基づいた２次元射影変換処理を行うことにより、所望の領域にサブイメージだけを表示させることができる。
【００２８】
また、この場合においては、スクリーン１００上のサブイメージの大きさの調整とキーストン補正とを同時に行っていることになる。従って、サブイメージを大きくかつ歪みなく表示することができる。
【００２９】
上記の場合では、このプロジェクタ１０においては、ハードウェアによって予め決まっている画像領域を元にするのではなく、サブイメージ２００の大きさを元にして２次元射影変換処理を行うために、常に適切な大きさの画像を表示することができる。
【００３０】
以下に、このプロジェクタ１０において実行される画像表示方法について具体的に説明する。図６は、本発明のプロジェクタ１０の動作の手順を示すフローチャートである。まず、画像信号が入力される（Ｓ１１）。スケーリング処理部１４は、画像信号を、入力された画像信号によって表示される画像が画像形成パネル１２の画素で表現できるような画像信号に変換する（スケーリング処理工程：Ｓ１２）。ただし、この画像においてはまだ上記の２次元射影変換処理は行われていない。また、この際に、スケーリング処理部１４は、入力された画像信号によって表示される画像が画像形成パネル１２中で形成する領域（サブイメージ）の領域サイズを認識する。
【００３１】
次に、このスケーリング処理後のサブイメージ２００にパターン画像生成部によって生成されたパターン画像を重畳させた画像信号をパネル画像生成部１５に生成させる。この画像信号を画像形成パネル１２に入力させ、パネル画像が生成され（Ｓ１３）、この画像が投射レンズ１３によってスクリーン１００上に投影され、画像が得られる（初期画像表示工程：Ｓ１４）。
【００３２】
次に、利用者は、この画像を見て、自分の見たいサブイメージ２００が所望の位置、大きさ、形状となっているかどうかを確認する。この判断は、パターン画像が前記の×印である場合にはその位置を確認することによってなされる。なっていない場合には、利用者は、投射画像におけるサブイメージ２００が所望の位置、大きさ、形状となるようにパターン画像を移動させて投影範囲を再設定することができる（投影範囲設定工程：Ｓ１５）。なお、このため、初期画像表示工程において、サブイメージ２００は表示させずにパターン画像のみを表示させてもよい。
【００３３】
サブイメージ領域補正部２１は、パネル画像におけるこの投影範囲に対応する領域に対してサブイメージ２００を投影する前記の２次元射影変換処理を行い、この変換後の画像を出力する画像信号をパネル画像生成部１５に生成させる（サブイメージ補正工程：Ｓ１６）。この画像信号が改めて画像形成パネル１２に入力され、パネル画像が生成され（Ｓ１７）、この画像が投射レンズ１３によってスクリーン１００上に投影され、画像が得られる（補正画像表示工程：Ｓ１８）。この画像におけるサブイメージ２００の位置、大きさ、形状は利用者の所望のものとなっている。
【００３４】
この中で、投影範囲設定工程（Ｓ１５）からサブイメージ補正工程（Ｓ１６）までについての動作のフローチャートを詳細に示したのが図７である。まず、制御処理部１６は、投影範囲の設定を行うか否かの指示を待ち受ける（Ｓ１５１）。この指示の回答要求は、投射画面上に画像形成パネル１２にサブイメージ２００等と同時にＯＳＤ表示させることができ、プロジェクタ本体の液晶ディスプレイ等に表示させることもできる。その回答は、利用者が操作部１９に所定の操作を行うか、又は使用者がリモコン送信機２９に所定の操作を行ってリモコン送信機２９が送信した所定の信号をリモコン受信部１８が受信することによって判定される。投影範囲の設定の指示がない場合は（Ｓ１５１：ＮＯ）、制御処理部１６は、指示の受け付けの待ち受けを続行する。
【００３５】
投影範囲の設定の指示を受け付けた場合は（Ｓ１５１：ＹＥＳ）、制御処理部１６は、投影画像のアスペクト比及び解像度に応じた表示可能領域（サブイメージ２００）を、スケーリング処理部１４がもっているサブイメージ２００のパネル画像上における大きさの情報から、認識する（Ｓ１５２）。これに応じて、制御処理部１６は、パターン画像生成部２０に、この表示可能領域を示す４つの×印（パターン画像）をサブイメージ２００に重畳させて画像形成パネル１２に表示させる（Ｓ１５３）。なお、パターン画像は、×印ではなく単なる輝点とすることもできる。また、４つの頂点を示す画像ではなく、サブイメージ２００の領域自体を表示する輝線としてもよく、利用者が表示可能領域を認識しやすい形態であれば、任意の形態とすることができる。
【００３６】
次に、制御処理部１６は、Ｓ１５１と同様に、投影範囲の変更を行うか否かの指示を待ち受ける（Ｓ１５４）。投影範囲の変更の指示を受け付けた場合は（Ｓ１５４：ＹＥＳ）、制御処理部１６は、利用者に、リモコン送信機２９を用いてパターン画像の移動をさせる（Ｓ１５５）。この際、例えばリモコン送信機２９におけるキー操作によってこれを行うことができる。これにより、利用者は、このパターン画像で囲まれた領域を所望の位置、大きさにすることができる。投影範囲の変更の指示を受け付ない場合は（Ｓ１５４：ＮＯ）、このパターン画像の変形処理操作（Ｓ１５５）はスキップされる。
【００３７】
このパターン画像の変形処理操作（Ｓ１５５）は、画像形成パネル１２（パネル画像）上のパターン画像の移動をカーソル操作によって行い、その投射画像上における位置は、利用者が目視で判定することによって行われる。従って、パターン画像の位置がパネル画像の座標系におけるどの位置にあるかを制御処理部１６は容易に認識することができる。この操作後に、制御処理部１６は、Ｓ１５１と同様に、これを確定するか否かの回答を要求し（Ｓ１５６）、確定する回答がない場合は（Ｓ１５６：ＮＯ）、制御処理部１６は、この指示の受け付けの待ち受けを続行する。確定する回答を受け付けた場合は（Ｓ１５６：ＹＥＳ）、制御処理部１６は、変更後のパターン画像のパネル画像中の位置（再設定された投影範囲）を認識する（Ｓ１５７）。その後、制御処理部１６は、サブイメージ領域補正部２１に、前記の図３（ｆ）、図４（ｆ）に示されたような２次元射影変換を行わせ、変換後の画像を出力する画像信号をパネル画像生成部１５に生成させる（サブイメージ補正工程：Ｓ１６）。
【００３８】
以上の処理によって、投射画像の中で利用者が最も見たいサブイメージ２００を最適な状態で見ることができる。また、例えばプレゼンテーション資料のように、画像が次々切り替わり、そのアスペクト比や解像度が画像毎に異なる場合でも、常に最適な画像を表示することができる。この際、例えば画像を出力するパーソナルコンピュータ中の画像を加工する必要はなく、プロジェクタ側でこの最適化を行うことができる。
【００３９】
なお、上記の例ではこの画像表示装置がプロジェクタである場合につき記載したが、同様の動作は、他の画像表示装置においても可能であり、これによって利用者が見たい画像を最適な形態で表示させることが可能であることは明らかである。
【図面の簡単な説明】
【００４０】
【図１】本発明の実施の形態となるプロジェクタの構成を示す図である。
【図２】画像形成パネルで形成される画像（ａ）と投射画像（ｂ）の形態を示す図である。
【図３】本発明の実施の形態となるプロジェクタの動作において、オフセット領域が発生しない場合のパネル画像と投射画像の補正の状況を示す図である。
【図４】本発明の実施の形態となるプロジェクタの動作において、オフセット領域が発生する場合のパネル画像と投射画像の補正の状況を示す図である。
【図５】従来のプロジェクタの動作において、オフセット領域が存在する場合のパネル画像と投射画像の補正の状況を示す図である。
【図６】本発明の実施の形態となる画像表示方法を示すフローチャートである。
【図７】本発明の実施の形態となる画像表示方法において、特に投影範囲設定工程からサブイメージ補正工程までについての詳細を示すフローチャートである。
【図８】従来のプロジェクタの構成を示す図である。
【符号の説明】
【００４１】
１０、８０  プロジェクタ
１１、８１  入力部
１２、８２  画像形成パネル
１３、８３  投射レンズ
１４、８４  スケーリング処理部
１５、８５  パネル画像生成部
１６、８６  制御処理部
１７、８７  ＲＯＭ
１８、８８  リモコン受信部
１９、８９  操作部
２０、９０  パターン画像生成部
２１  サブイメージ領域補正部
２９、９９  リモコン送信機
９１  キーストン処理部
１００  スクリーン
２００  サブイメージ
３００  オフセット領域
【図１】
2010130385.tif 000003
【図３】
2010130385.tif 000004
【図６】
2010130385.tif 000005
【図７】
2010130385.tif 000006
【図８】
2010130385.tif 000007
【図２】
2010130385.tif 000008
【図４】
2010130385.tif 000009
【図５】
2010130385.tif 000010